(57)【要約】      （修正有）【課題】外部制御装置から接続されるケーブルの本数を減らし、作業者の設置作業を簡単にするとともに、致命的な故障を防止する高電圧電源装置を提供する。【解決手段】装置本体Ｐには、外部制御装置１からの信号を受信可能な通信用回路１０と、通信用回路１０が受信した信号に基づいて高電圧を生成する高電圧生成手段とが設けられている。そして、装置本体Ｐは、この高電圧生成手段によって生成された高電圧を放電電極Ｅに印加している。また、装置本体Ｐと外部制御装置１とは一本のケーブルＣで通信可能に設けられている。そして、通信用回路１０が、外部制御装置１の信号に基づいて放電電極Ｅに印加する高電圧を制御可能にしている。【選択図】図１
0003219551.tif 000002
【実用新案登録請求の範囲】
【請求項１】
装置本体は、
外部制御装置からの信号を受信可能な通信用回路と、
上記通信用回路が受信した信号に基づいて高電圧を生成する高電圧生成手段とが設けられ、
この高電圧生成手段によって生成された高電圧を放電電極に印加する高電圧電源装置において、
上記装置本体と上記外部制御装置とは一本のケーブルで通信可能に設けられ、
上記通信用回路が上記外部制御装置の信号に基づいて放電電極に印加する高電圧を制御可能にした高電圧電源装置。
【請求項２】
上記通信用回路には、上記外部制御装置からの信号を処理して可変電圧を上記高電圧生成手段に出力する制御部が設けられ、
上記高電圧生成手段は、電源から供給される交流電圧を直流電圧に変換するスイッチング電源と、
上記制御部から可変電圧が入力されるとともに、上記スイッチング電源からの直流電圧を作動源として基礎直流電圧を生成する電圧調整回路と、
上記電圧調整回路で生成された基礎直流電圧を発振させて高周波の交流電圧に変換する発振回路と、
上記発振回路で発振された交流電圧を昇圧させるトランスと、
上記トランスで昇圧された交流電圧を整流および昇圧して直流高電圧を生成する倍電圧整流回路とで構成され、
上記可変電圧の電圧値に比例した出力値となる直流高電圧が生成される請求項１に記載の高電圧電源装置。
【請求項３】
上記電圧調整回路は、上記スイッチング電源から出力された直流電圧を作動源として作動するプラス側の電圧調整回路とマイナス側の電圧調整回路とが分かれて設けられ、
上記プラス側の電圧調整回路からはプラス側の放電電極に印加する直流高電圧のもとになる基礎直流電圧が生成されて、プラスの直流高電圧がプラス側の放電電極に印加されるとともに、
上記マイナス側の電圧調整回路からはマイナス側の放電電極に印加される直流高電圧のもととなる基礎直流電圧が生成されて、マイナスの直流高電圧がマイナス側の放電電極に印加される請求項２に記載の高電圧電源装置。
【請求項４】
複数の装置本体を同時に使用する場合において、
上記外部制御装置と一本のケーブルで通信可能に設けられた装置本体は、他の一台の装置本体と、互いの通信用回路が一本のケーブルを介して接続されるとともに、
別の装置本体とは、隣り合う装置本体の通信用回路どうしが一本のケーブルを介して接続されて、複数の装置本体がリレーして接続されており、
上記外部制御装置と複数の通信用回路とが相互通信可能に設けられた請求項１〜３のいずれか１に記載の高電圧電源装置。
【考案の詳細な説明】
【技術分野】
【０００１】
この考案は、高電圧を出力する高電圧電源装置に関する。
【背景技術】
【０００２】
従来から交流または直流の高電圧を出力する高電圧電源装置が知られている。このような高電圧電源装置は、例えば、帯電した処理対象物を除電する除電装置に使用するものである。
図３に示した装置本体Ｐは、外部制御装置１からの信号に基づいて、交流電源２の電圧を変換および昇圧して直流高電圧を生成し、その直流高電圧を放電電極Ｅに出力している。
【０００３】
上記交流電源２は、装置本体Ｐ内に設けられたスイッチング電源３に接続され、このスイッチング電源３によって交流電圧を直流電圧に変換している。
上記スイッチング電源３はプラス側の電圧調整回路４に接続され、上記スイッチング電源３で変換されたプラスの直流電圧が電圧調整回路４に導かれている。このスイッチング電源３で変換された直流電圧は、装置本体Ｐに設けられた各回路の作動源になるとともに、放電電極Ｅに印加される直流高電圧のもとになる。
【０００４】
上記電圧調整回路４には、コンピュータやシーケンサ等の外部制御装置１からの信号がケーブルｃ４〜ｃ９を介して入力される。
上記外部制御装置１からの信号は、例えば、放電電極Ｅに印加する直流高電圧の出力値を決める高電圧設定信号が入力される。
上記電圧調整回路４は、上記の高電圧設定信号に基づいて、スイッチング電源３からの直流電圧を、放電電極Ｅに印加される直流高電圧の出力値になるように調整した直流電圧を出力する。
なお、上記外部制御装置１からの高電圧設定信号は、電圧値を制御した直流電圧が信号として電圧調整回路４に入力される。
【０００５】
上記電圧調整回路４で調整された直流電圧は、自励発振するトランジスタを備えた発振回路５に導かれる。この発振回路５は、上記電圧調整回路４で調整された直流電圧を高周波に発振し、交流電圧に変換している。
そして、上記発振回路５はトランス６に接続されており、このトランス６で上記発振回路５の交流電圧が昇圧される。なお、一次側の交流電圧に対して、２次側の交流電圧は５００〜１０００倍に昇圧される。
【０００６】
さらに、上記トランス６は、倍電圧整流回路７に接続されている。この倍電圧整流回路７は、交流電圧を直流電圧に整流しながらこの直流電圧を昇圧し、プラスの直流高電圧にしている。そして、このように昇圧されたプラスの直流高電圧は、上記装置本体Ｐに設けられた出力端子８に接続されたケーブルを介して、上記放電電極Ｅに印加される。
なお、この装置本体Ｐでは、外部制御装置１から入力された高電圧設定信号である直流電圧が、放電電極Ｅに印加される段階で２０００倍の直流高電圧になるように設定されている。
【０００７】
プラスの直流高電圧が除電装置の放電電極Ｅに印加されると、放電電極Ｅの周辺にはコロナ放電が発生し、このコロナ放電によって大気中のエアを電離して、プラスイオンを発生させる。このプラスイオンは、帯電した処理対象物の表面に照射され、その表面を除電する。
【０００８】
なお、スイッチング電源３から出力されたマイナス極用の直流電圧は、マイナス側の電圧調整回路４’に導かれている。このマイナス側の電圧調整回路４’から放電電極Ｅ’までの構成は、最終的に出力する直流高電圧の極性を変えているだけで、上述したプラス側の電圧調整回路４から放電電極Ｅまでの構成と同じである。
したがって、スイッチング電源３から出力されたマイナス極用の直流電圧は、マイナス側の電圧調整回路４’に導かれ、最終的に放電電極Ｅ’にマイナスの直流高電圧が印加される。そして、放電電極Ｅ’にマイナスの直流高電圧が印加されると、マイナスイオンが発生し、そのマイナスイオンが帯電した処理対象物の表面に照射され、その表面を除電する。
【０００９】
上記装置本体Ｐには、交流電源２の入力と外部制御装置１からの信号の入力とのために、９本のケーブルｃ１〜ｃ９が接続されている。なお、それぞれのケーブルｃ１〜ｃ９は、装置本体Ｐに設けられた入力端子９に接続される。
上記装置本体Ｐには、交流電源２の入力のために、交流電源２と接続する２本の電源用ケーブルｃ１，ｃ２と、感電防止などの機能を発揮するアース用ケーブルｃ３との合計３本が接続される。
【００１０】
また、上記装置本体Ｐには、高電圧を出力させるＯＮ信号用ケーブルｃ４と、高電圧の出力を停止させるＯＦＦ信号用ケーブルｃ５、及びアース用ケーブルｃ６との合計３本が接続される。
さらに、上記装置本体Ｐには、放電電極Ｅに印加する直流高電圧の出力値を決める高電圧設定信号の入力のために、プラスの直流高電圧の出力値を決めるプラス用ケーブルｃ７と、マイナスの直流高電圧の出力値を決めるマイナス用ケーブルｃ８、及び高電圧設定信号のノイズを除去するアース用ケーブルｃ９の合計３本が接続される。
【００１１】
上記のように、一台の装置本体Ｐには、この装置本体Ｐを作動させるために合計９本のケーブルｃ１〜ｃ９が接続されている。
なお、上記本体装置Ｐから外部制御装置１に信号をフィードバックさせて制御する場合には、上記９本のケーブルｃ１〜ｃ９の他に、プラス出力電圧のフィードバック値用ケーブル、マイナス出力電圧のフィードバック値用ケーブル、フィードバック用のアース用ケーブル、装置が正常に作動していることを確認するＯＮ信号用ケーブル、装置に異常が発生したことを通知するアラーム信号用ケーブル、他の周辺機器をモニタリングするインターロック信号用ケーブル、及びＯＮ信号やアラーム信号、インターロック信号の共通端子であるコモン用ケーブル等が接続される。
【００１２】
図４は、複数の放電電極Ｅを制御する場合に、複数の装置本体Ｐが接続される状態を示している。
例えば、処理対象物がフィルムの場合には、一対のロール間にフィルムを掛け渡し、そのロール間でフィルムを移動させて、その過程で上記フィルムを除電している。このような除電装置では、フィルムを挟んで対向させた放電電極Ｅ，Ｅ’がフィルムの移動方向に複数並べて設けられている。
【００１３】
上記のような除電装置では、一対の放電電極Ｅ，Ｅ’を制御するために、一台の装置本体Ｐが必要であり、一対の放電電極Ｅ，Ｅ’の配列数が増えれば、その分の装置本体Ｐの台数（ｎ）が必要になる。
上記除電装置に複数の装置本体Ｐ１〜Ｐｎが必要な場合であっても、複数の装置本体Ｐ１〜Ｐｎは一台の外部制御装置１に接続される。そして、一台の装置本体Ｐには少なくとも９本のケーブルｃ１〜ｃ９が接続されるので、装置本体Ｐの設置台数（ｎ）倍のケーブルｃ１〜ｃ（９×ｎ）数が接続されることになる。
【先行技術文献】
【特許文献】
【００１４】
【特許文献１】特開平５−２９９１９１号公報
【特許文献２】特開平７−２６３１７３号公報
【考案の概要】
【考案が解決しようとする課題】
【００１５】
従来の装置本体Ｐは、除電装置に使用する放電電極Ｅの数に応じて設置台数が増えるので、その設置台数に接続するケーブルの数も増えてしまう。そのため、ケーブルの接続本数が多くなるとともに、ケーブルの設置面積が広くなってしまう。
また、接続するケーブルの数が多くなれば、設置作業が繁雑になり、作業者による配線のつなぎ間違いが生じやすくなる。
特に、高電圧を発生させる装置本体Ｐでは、配線のつなぎ間違いは装置本体Ｐ内の集積回路を破壊する等の致命的な故障につながる。
【００１６】
この考案は、外部制御装置から接続されるケーブルの本数を減らし、作業者の設置作業を簡単にするとともに、致命的な故障を防止する高電圧電源装置を提供するものである。
【課題を解決するための手段】
【００１７】
第１の考案の装置本体は、外部制御装置からの信号を受信可能な通信用回路と、上記通信用回路が受信した信号に基づいて高電圧を生成する高電圧生成手段とが設けられている。そして、この考案は、上記高電圧生成手段によって生成された高電圧を放電電極に印加する高電圧電源装置を前提としている。
また、上記装置本体と上記外部制御装置とは、一本のケーブルで通信可能に設けられている。そして、上記通信用回路が、上記外部制御装置の信号に基づいて放電電極に印加する高電圧を制御可能にしている。
【００１８】
第２の考案の上記通信用回路には、上記外部制御装置からの信号を処理して可変電圧を上記高電圧生成手段に出力する制御部が設けられている。
また、上記高電圧生成手段は、電源から供給される交流電圧を直流電圧に変換するスイッチング電源と、上記制御部から可変電圧が入力されるとともに、上記スイッチング電源からの直流電圧を作動源として基礎直流電圧を生成する電圧調整回路とで構成されている。さらに、上記高電圧生成手段は、上記電圧調整回路で生成された基礎直流電圧を発振させて高周波の交流電圧に変換する発振回路と、上記発振回路で発振された交流電圧を昇圧させるトランスと、上記トランスで昇圧された交流電圧を整流および昇圧して直流高電圧を生成する倍電圧整流回路とで構成される。
そして、この考案は、制御部から出力された可変電圧が、その電圧値に比例した出力値の直流高電圧を生成することを特徴としている。
【００１９】
第３の考案の電圧調整回路は、上記スイッチング電源から出力された直流電圧を作動源として作動するプラス側の電圧調整回路と、マイナス側の電圧調整回路とに分かれている。そして、上記プラス側の電圧調整回路からは、プラス側の放電電極に印加する直流高電圧のもとになる基礎直流電圧が生成されて、プラスの直流高電圧がプラス側の放電電極に印加される。また、上記マイナス側の電圧調整回路からは、マイナス側の放電電極に印加する直流高電圧のもとになる基礎直流電圧が生成されて、マイナスの直流高電圧がマイナス側の放電電極に印加される。
【００２０】
第４の考案は、複数の装置本体を同時に使用する場合において、上記外部制御装置と一本のケーブルで通信可能に設けられた装置本体が、他の一台の装置本体と、互いの通信用回路が一本のケーブルを介して接続されている。
また、別の装置本体とは、隣り合う装置本体の通信用回路どうしが一本のケーブルを介して接続されて、複数の装置本体がリレーして接続されている。
そして、上記外部制御装置と複数の通信用回路とが相互通信可能に設けられていることを特徴とする。
【考案の効果】
【００２１】
第１の考案によれば、装置本体に、外部制御装置からの信号を受信する通信用回路が設けられたので、この通信用回路から高電圧生成手段に指示が出せるようになった。このように通信用回路から高電圧生成手段に指示が出せるようになったので、装置本体が外部制御装置からの信号をまとめて一本のケーブルで受信することができる。
上記装置本体には、電源用ケーブルのほか、一本のケーブルが接続されるだけなので、ケーブルの接続本数が少なくなるとともに、ケーブルの設置面積が狭くなる。
また、ケーブルの接続本数が少ないので、作業者の設置作業が簡単になる。さらに、通信に使用するケーブルが一本なので、ケーブルの配線のつなぎ間違いがない。
【００２２】
第２の考案によれば、外部制御装置の信号に基づいて、必要な直流高電圧を出力できるので、外部制御装置からの細やかな制御ができる。
また、各回路やトランスの性能を変えることによって、電源電圧を自由に昇圧あるいは整流して、放電電極に必要な直流高電圧を出力できる。
【００２３】
第３の考案によれば、電圧調整回路をプラス側とマイナス側とに分けて直流高電圧を制御できるので、プラス側及びマイナス側の放電電極に別々の出力値にした直流高電圧を印加することができる。
【００２４】
第４の考案によれば、複数の装置本体がリレー式に接続されて通信可能に設けられているので、従来の配線よりもケーブルの接続本数が少なくなるとともに、作業者の設置作業が簡単になる。さらに、複数の装置本体を接続するケーブルがリレー式に一本でつながるので、ケーブルの配線のつなぎ間違いがない。
また、上記外部制御装置と複数の通信用回路とは、相互通信可能に設けられているので、各装置本体をモニタリングでき、このモニタリング信号を外部制御装置にフィードバックできる。外部制御装置はこのモニタリング信号に基づいて各装置本体をフィードバック制御できる。
【図面の簡単な説明】
【００２５】
【図１】この考案の実施形態を示した概略図である。
【図２】この考案の実施形態を使用する除電装置を示した概略図である。
【図３】従来の高電圧電源装置を示した概略図である。
【図４】従来の構成である外部制御装置と複数の高電圧電源装置との配線を示した概略図である。
【考案を実施するための形態】
【００２６】
図１は、この考案の高電圧電源装置である実施形態の概略図である。
この実施形態の装置本体Ｐは、外部制御装置１から出力された信号に基づいて、交流電源２の電圧を変換および昇圧して直流高電圧にして、この直流高電圧を放電電極Ｅに出力するものである。
この装置本体Ｐは、外部制御装置１からの信号に基づいて電圧調整回路４，４’を制御する通信用回路１０が設けられ、この通信用回路１０に接続する通信用ケーブルＣが１本になったことに特徴がある。この装置本体Ｐは、特徴となる通信用回路１０と通信用ケーブルＣとが従来と異なるが、その他の基本的な構成は従来の構成と同じである。したがって、従来と同じ構成については、同じ符号を用いる。
【００２７】
上記装置本体Ｐに設けられた通信用回路１０は、コンピュータやシーケンサ等の外部制御装置１からの信号を受信している。この通信用回路１０には、ＣＰＵである制御部１０ａが設けられ、上記外部制御装置１の信号に基づいた上記制御部１０ａの電圧信号によって、後述する電圧調整回路４，４’を制御している。
上記装置本体Ｐには、上記通信用回路１０に接続される信号入力端子１１が設けられ、この信号入力端子１１には上記外部制御装置１から一本の通信用ケーブルＣが接続されている。そして、上記外部制御装置１と通信用回路１０とはこの一本の通信用ケーブルＣを介して通信可能に接続されている。
なお、通信用ケーブルＣは、多芯ケーブルや単芯ケーブルを組み合わせたものが使用されている。
【００２８】
外部制御装置１からは、電圧調整回路４，４’を制御する信号群が、上記制御部１０ａに入力される。
外部制御装置１から入力される信号は、従来と同様に、放電電極Ｅに印加を指示するＯＮ／ＯＦＦ信号と、放電電極Ｅに印加する直流高電圧の出力値を指示する高電圧設定信号とである。そして、これらの信号群には、装置本体ＰごとのＩＤタグ情報が紐付けされている。
上記制御部１０ａは、上記信号が入力されると、上記ＩＤタグ情報によって、自己の装置に指令された信号群であるか、それとも他の装置に指令される信号群であるかを識別する。そして、制御部１０ａは、自己の装置に指示された信号群を識別して、その信号群に基づいて電圧調整回路４，４’に指示を与えている。
【００２９】
また、この装置本体Ｐは、複数の装置本体Ｐの通信用回路１０が互いに接続されるようにしている。上記装置本体Ｐには、通信用回路１０と接続する信号出力端子１２が設けられている。そして、この信号出力端子１２は、一本の中継用ケーブルＣｔを介して隣接する装置本体Ｐの信号入力端子１１に接続できる。したがって、複数の装置本体Ｐの通信用回路１０は、信号入力端子１１と信号出力端子１２とを中継用ケーブルＣｔでつないで、リレー式に接続できるようにしている。
なお、このような通信用システムの回路としては、公知のＭＯＤＢＵＳ（登録商標）通信回路を使用できる。
また、中継用ケーブルＣｔは、多芯ケーブルや単芯ケーブルを組み合わせたものが使用される。
【００３０】
この実施形態では、装置本体Ｐの電源として、一般用又は商業用の交流電源２が接続されている。上記装置本体Ｐには電源用の入力端子９が設けられ、交流電源２に接続する２本のケーブルｃ１，ｃ２と、感電等を防止するアース用のケーブルｃ３とが入力端子９に接続されている。
この交流電源２から供給される交流電圧は、スイッチング電源３によってプラスの直流電圧とマイナスの直流電圧とに変換している。
【００３１】
このスイッチング電源３は、交流電源を直流電源にする公知のもので、回路内部のスイッチ素子のＯＮ／ＯＦＦ時間比率を制御することにより、直流電圧を安定して発生させるものである。このようなスイッチング電源３は、放熱量を抑えて効率よく直流電圧に変換するとともに、目的の直流電圧に降圧できる機能を備えている。
具体的には、上記交流電源２は１００／２００Ｖ（５０/６０Ｈｚ）の一般的な交流電圧が接続されている。この１００Ｖの交流電圧はスイッチング電源３に供給され、このスイッチング電源３で１００Ｖの交流電圧を１２Ｖのプラスとマイナスの直流電圧に変換している。
【００３２】
上記スイッチング電源３から出力された直流電圧は、各回路の作動源に利用されるとともに、電圧調整回路４，４’に導かれて、放電電極Ｅ，Ｅ’に印加される直流高電圧のもとになる基礎直流電圧を生成するために利用される。
スイッチング電源３から出力される直流電圧は、プラス極用の直流電圧をプラス側の電圧調整回路４に導くとともに、マイナス極用の直流電圧をマイナス側の電圧調整回路４’に導くようにしている。
【００３３】
なお、上記のようなスイッチング電源３は、コンバータ機能を発揮できれば、どのような回路を用いてもよい。例えば、レギュレータ式の電源回路を用いて交流電圧を直流電圧に変換してもよい。あるいは、上記スイッチング電源３を省略して、１２Ｖの直流電圧を装置本体Ｐの作動源として直接供給してもよいことは当然である。
【００３４】
プラス側又はマイナス側の電圧調整回路４，４’から放電電極Ｅ，Ｅ’までの構成は、最終的に出力する直流高電圧の極性が変わるだけで、その他の構造と機能は同じである。
したがって、以降の構成について、プラスの直流高電圧を生成させる構成を例に説明をする。
【００３５】
プラスの直流電圧が導かれた電圧調整回路４には、上記通信用回路１０の制御部１０ａから最終的な直流高電圧の出力値を決める可変電圧が入力される。
この可変電圧は、外部制御装置１の高電圧設定信号に基づいて変化する直流電圧の電圧値を持った信号である。
具体的には、制御部１０ａからは０〜６Ｖの範囲の直流電圧である可変電圧が出力され、この可変電圧が電圧調整回路４に入力される。
【００３６】
上記電圧調整回路４は、スイッチング電源３の直流電圧をもとに、放電電極Ｅに印加される直流高電圧が上記可変電圧に比例した０〜１２ｋＶになるように、調整した基礎直流電圧を出力する。
なお、この実施形態の電圧調整回路４では、スイッチング電源３で出力された１２Ｖを上記基礎直流電圧の上限として設定している。そして、上記電圧調整回路４から出力される基礎直流電圧は、上限の１２Ｖよりも小さい出力で使用される。例えば、除電装置用の放電電極Ｅが磨耗したり、劣化したりすることで出力電圧が下がってしまう場合がある。このような場合でも、制御部１０ａが出力する可変電圧を大きくして、除電に必要な直流高電圧が安定して出力されるようにしている。
【００３７】
また、上記電圧調整回路４には、上記通信用回路１０の制御部１０ａから放電電極Ｅへの印加を指示するＯＮ／ＯＦＦ信号も入力される。
このＯＮ／ＯＦＦ信号は、後述する除電装置を作動させたり、停止させたりするために使用される。
なお、この電圧調整回路４には、基準電圧を設定するアースが接続される。
【００３８】
上記の電圧調整回路４は、発振回路５に接続されている。この発振回路５は、上記電圧調整回路４で生成した基礎直流電圧を高周波に発振している。この発振回路５は、直流電圧を交流電圧にする公知のもので、発振回路５内のトランジスタを自励発振させて高周波の交流電圧にしている。
【００３９】
具体的には、この実施形態では０〜１２Ｖの基礎直流電圧を高周波の交流電圧に変換している。
このような発振回路５は、インバータ機能を発揮できれば、どのような回路を用いてもよい。例えば、装置本体Ｐの外部に設置する発振機器を用いて、装置本体Ｐの外部から高周波を上記基礎直流電圧に作用させて、高周波の交流電圧にしてもよい。
【００４０】
上記発振回路５の発振によって高周波になった交流電圧は、トランス６によって昇圧される。このトランス６は、一次側の交流電圧に対して、２次側の交流電圧が約１０００倍に昇圧されるように設定される。
なお、このようなトランス６は、昇圧または降圧に利用される公知のものである。
上記のような発振回路５とトランス６とを組み合わせた構成は、例えば、特開平５−２９９１９１の直流除電器に開示された構成、あるいは特開２０１１−９１６７の除電器用パルスコントロール電源装置に開示された構成を使用できる。
【００４１】
上記トランス６によって昇圧された交流電圧は、さらに整流されるとともに昇圧されて直流高電圧にする倍電圧整流回路７に導かれる。
この倍電圧整流回路７は、交流電圧を直流電圧に整流しながら電圧を昇圧する公知のもので、ダイオードとコンデンサとを直列に積み重ねるように接続した回路である。このような倍電圧整流回路７は、公知のコッククロフト・ウォルトン回路や、特開２０１２−１９５１９３の除電装置用の電源回路に開示された構成を使用できる。
【００４２】
なお、制御部１０ａから出力された０〜６Ｖの可変電圧は、最終段階で上記可変電圧の２０００倍になる０〜１２ｋＶの直流高電圧になるように設定される。上記発振回路５やトランス６、および倍電圧整流回路７の性能を変えることによって、必要とされる直流高電圧を発生させることができる。
また、この実施形態では、上記スイッチング電源３、上記電圧調整回路４、４’、上記発振回路５，５’、トランス６，６’、及び倍電圧整流回路７，７’が、高電圧生成手段を構成している。
【００４３】
上記の構成によって昇圧されたプラスの直流高電圧は、装置本体Ｐに設けられたプラス側の出力端子８から出力される。この装置本体Ｐの出力端子８には、ケーブルが接続され、このケーブルを介して放電電極Ｅが接続される。そして、放電電極Ｅには、プラスの直流高電圧が印加される。
なお、上記の発振回路５やトランス６、及び倍電圧整流回路７には、それぞれ基準電圧を設定するアースが接続されている。
【００４４】
また、マイナス側の電圧調整回路４’からは、マイナス側の出力端子８’を介して、マイナスの直流高電圧がマイナス側の放電電極Ｅ’に印加される。
この実施形態では、電圧調整回路４、４’がプラス側とマイナス側とに分かれて直流高電圧を可変制御しているので、プラス側及びマイナス側の放電電極Ｅ，Ｅ’に別々の出力値にした直流高電圧を印加できる。
【００４５】
このような高電圧電源装置は、例えば、次のような除電装置Ｓに用いられる。
図２は、フィルムである処理対象物Ｆを処理する除電装置Ｓの概略図である。上記処理対象物Ｆは図示しない一対のローラ間に掛け渡され、このローラ間で上記処理対象物Ｆが矢印方向へ移動するように設けられている。そして、帯電した処理対象物Ｆの両面を、その移動過程で除電処理している。
【００４６】
上記処理対象物Ｆには、その表面に対向するとともに、処理対象物Ｆの幅方向をまたぐ長さを備えている放電電極Ｅが設けられている。そして、この処理対象物Ｆを挟んで上記放電電極Ｅの反対側には、上記放電電極Ｅと対向して逆極性の直流高電圧を印加する放電電極Ｅ’が設けられている。
【００４７】
これら一対の放電電極Ｅ，Ｅ’は、それぞれの端部で、ケーブルを介して、高電圧電源装置である装置本体Ｐのプラス側又はマイナス側の出力端子８，８’にそれぞれ接続されている。
そして、この実施形態では、９つの一対の放電電極Ｅ，Ｅ’が処理対象物Ｆの移動方向に並べて設けられる。つまり、９つの一対の放電電極Ｅ，Ｅ’に対し９台の装置本体Ｐ１〜Ｐ９が接続される。
【００４８】
上記９台の装置本体Ｐ１〜Ｐ９は、１台の外部制御装置１に接続されている。
この外部制御装置１は、例えば、移動方向の最上流に設けられた一対の放電電極Ｅ，Ｅ’用の装置本体Ｐ１に、一本の通信用ケーブルＣを介して接続される。
また、その他の装置本体Ｐ２〜９は、図２のように装置本体Ｐ１から順に各装置本体Ｐ２〜Ｐ９をリレーして接続している。
各装置本体Ｐ１〜９をリレーする中継用ケーブルＣｔは、各装置本体Ｐ１〜９の通信用回路１０を接続しており、上記外部制御装置１の信号が、通信用ケーブルＣと中継用ケーブルＣｔとを介して、すべての通信用回路１０に伝達される。
【００４９】
上記したように外部制御装置１から入力される信号には、各装置本体Ｐ１〜９を識別するＩＤタグ情報が付されており、各通信用回路１０の制御部１０ａは、そのＩＤタグ情報を識別する。
そして、上記制御部１０ａは、ＩＤタグ情報によって、自己の装置に指令された信号群であるか、それとも他の装置に指令される信号群であるかを識別する。
自己の装置に指令される信号群を認識した制御部１０ａは、その信号に基づいてプラス側の電圧調整回路４と、マイナス側の電圧調整回路４’に、それぞれ指示を与えて、最終的に出力される直流高電圧を制御している。
【００５０】
このような除電装置Ｓでは、上記直流高電圧をそれぞれの放電電極Ｅ，Ｅ’に印加すると、一方の放電電極Ｅと他方の放電電極Ｅ’との間でコロナ放電が起こり、このコロナ放電によって大気中のエアを電離させて、プラスイオン又はマイナスイオンを生成する。そして、これらプラスイオンとマイナスイオンとは互いに引きつけられて帯電した処理対象物Ｆに照射され、上記処理対象物の表面を除電する。
【００５１】
この考案によれば、装置本体Ｐに、外部制御装置１からの信号を受信する通信用回路１０が設けられたので、この通信用回路１０から装置本体Ｐに指示が出せるようになった。このように通信用回路１０から装置本体Ｐに指示が出せるようになったので、装置本体Ｐが外部制御装置１からの信号をまとめて一本の通信用ケーブルＣで受信することができる。
上記装置本体Ｐには、電源用のケーブルｃ１〜ｃ３のほか、一本の通信用ケーブルＣが接続されるだけなので、ケーブルの接続本数が少なくなり、ケーブルの設置面積を狭くできる。
【００５２】
また、複数の装置本体Ｐを一台の外部制御装置１で制御する場合であっても、複数の装置本体Ｐがリレー式に接続されて通信可能に設けられているので、従来の配線よりもケーブルの接続本数が少なくできる。
このようにケーブル数を少なくできるので、作業者の設置作業が簡単になる。そして、複数の装置本体Ｐを接続する中継用ケーブルＣｔがリレー式に一本でつながるので、ケーブルＣｔの配線のつなぎ間違いがない。
【００５３】
なお、この実施形態では、通信用回路１０の制御部１０ａは、外部制御装置１の信号に基づいて装置本体Ｐを制御する構成を説明したが、制御部１０ａが装置本体Ｐをモニタリングして、このモニタリング信号を外部制御装置１に出力することもできる。
このように、上記外部制御装置１と複数の通信用回路１０とは、相互通信可能に設けられているので、各装置本体Ｐをモニタリングでき、このモニタリング信号を外部制御装置１にフィードバックできる。外部制御装置１はこのモニタリング信号に基づいて各装置本体Ｐをフィードバック制御できる。
【００５４】
また、この実施形態では、外部制御装置１からの信号は、ＯＮ／ＯＦＦ信号と高電圧設定信号とを用いて説明したが、上記信号は操作する装置に応じて様々な信号を用いることができるのは当然である。
上記制御部１０ａは、上記の様々な信号に応じて高電圧生成手段への指示も変更される。
【００５５】
さらに、この実施形態では、直流高電圧を出力する高電圧電源装置として説明をしたが、交流高電圧を出力する高電圧電源装置としても利用できる。
また、この実施形態では、除電装置Ｓに用いる高電圧電源装置として説明をしたが、高電圧を必要とする装置であれば、どのような装置でも使用できる。例えば、帯電装置や表面改質装置などにも使用できる。
【産業上の利用可能性】
【００５６】
この考案は、高電圧を印加する除電装置に最適である。
【符号の説明】
【００５７】
Ｐ…装置本体、Ｅ…放電電極、１…外部制御装置、２…交流電源、３…スイッチング電源、４…電圧調整回路、５…発振回路、６…トランス、７…倍電圧整流回路、１０…通信用回路、１０ａ…制御部、Ｃ…通信用ケーブル、Ｃｔ…中継用ケーブル、Ｆ…処理対象物
【図１】
0003219551.tif 000003
【図２】
0003219551.tif 000004
【図３】
0003219551.tif 000005
【図４】
0003219551.tif 000006
【手続補正書】
【提出日】平成30年11月1日(2018.11.1)
【手続補正１】
【補正対象書類名】実用新案登録請求の範囲
【補正対象項目名】請求項２
【補正方法】変更
【補正の内容】
【請求項２】
上記通信用回路には、上記外部制御装置からの信号を処理して可変電圧を上記高電圧生成手段に出力する制御部が設けられ、
上記高電圧生成手段は、
電源から供給される交流電圧を直流電圧に変換するスイッチング電源と、
上記制御部から可変電圧が入力されるとともに、上記スイッチング電源からの直流電圧を作動源として基礎直流電圧を生成する電圧調整回路と、
上記電圧調整回路で生成された基礎直流電圧を発振させて高周波の交流電圧に変換する発振回路と、
上記発振回路で発振された交流電圧を昇圧させるトランスと、
上記トランスで昇圧された交流電圧を整流および昇圧して直流高電圧を生成する倍電圧整流回路とで構成され、
上記高電圧生成手段が、上記可変電圧の電圧値に比例した出力値となる直流高電圧を生成する請求項１に記載の高電圧電源装置。
【手続補正２】
【補正対象書類名】明細書
【補正対象項目名】００１８
【補正方法】変更
【補正の内容】
【００１８】
第２の考案の上記通信用回路には、上記外部制御装置からの信号を処理して可変電圧を上記高電圧生成手段に出力する制御部が設けられている。
また、上記高電圧生成手段は、電源から供給される交流電圧を直流電圧に変換するスイッチング電源と、上記制御部から可変電圧が入力されるとともに、上記スイッチング電源からの直流電圧を作動源として基礎直流電圧を生成する電圧調整回路とで構成されている。さらに、上記高電圧生成手段は、上記電圧調整回路で生成された基礎直流電圧を発振させて高周波の交流電圧に変換する発振回路と、上記発振回路で発振された交流電圧を昇圧させるトランスと、上記トランスで昇圧された交流電圧を整流および昇圧して直流高電圧を生成する倍電圧整流回路とで構成される。
そして、この考案は、上記高電圧生成手段が、制御部から出力された可変電圧に比例した出力値の直流高電圧を生成することを特徴としている。